(57)【要約】【課題】一度に複数の被覆電線の芯線に止水材を浸透させて止水処理を施すことができる線間止水方法および線間止水装置を提供すること。【解決手段】ワイヤハーネスを構成する被覆電線２０の芯線２１に止水材Ｓを浸透させる線間止水方法であって、複数の被覆電線２０を並列に配列させて保持する配列ステップと、それぞれの被覆電線２０の被覆２２にそれぞれ注入針２６を差し込む差し込みステップと、前記注入針２６を介して前記芯線２１に止水材Ｓを注入する注入ステップとを含む。【選択図】図２
2009064674.tif 000002
【特許請求の範囲】
【請求項１】
ワイヤハーネスを構成する被覆電線の芯線に止水材を浸透させる線間止水方法であって、
複数の被覆電線を並列に配列させて保持する配列ステップと、
それぞれの前記被覆電線の被覆にそれぞれ注入針を差し込む差し込みステップと、
前記注入針を介して前記芯線に止水材を注入する注入ステップと、
を含むことを特徴とする線間止水方法。
【請求項２】
ワイヤハーネスを構成する被覆電線の芯線に止水材を浸透させる線間止水装置であって、
互いに突き合わされることにより、並列に配列された複数の前記被覆電線を保持する一対のケースと、
前記ケースの一方に設けられ、前記ケース同士を突き合わせることにより、前記被覆電線の被覆に差し込まれる複数の注入針と、
前記注入針に連通する流路に止水材を注入する止水材注入器と、
を有することを特徴とする線間止水装置。
【請求項３】
前記ケースには、互いに突き合わされることにより、前記被覆電線の外周を保持するＵ字状の切欠部が形成されていることを特徴とする請求項２に記載した線間止水装置。
【請求項４】
前記ケースには、互いに突き合わされることにより、前記被覆電線を挟持して外周をシールするクッション材が設けられていることを特徴とする請求項１または請求項２に記載した線間止水装置。
【発明の詳細な説明】
【技術分野】
【０００１】
本発明は、ワイヤハーネスの被覆電線の芯線間の止水を行なうのに用いる線間止水方法および線間止水装置に関する（尚、本発明の説明における『止水』は、水の浸入を阻止することに限らず、水、油、アルコール、等を含む液体全般に有効に作用することを意味するが、ここでは一般的に名称として広く用いられている『止水』を用いて説明する）。
【背景技術】
【０００２】
一端にて露出させた芯線に端子を圧着固定したワイヤハーネスにおいて、その芯線の露出部分から絶縁被覆の内側へ止水材を浸透させて線間止水を施すことが行なわれている（例えば、特許文献１参照）。
【０００３】
図６に示すように、被覆電線（アース電線）５１は、その芯線（導体）５３の周囲に絶縁被覆（被覆材）５４を有し、その端末部の一方に端子（アース接続端子）５２が圧着される（即ち、加締められる）。
【０００４】
被覆電線５１への端子５２の圧着は、絶縁被覆５４が除去されて芯線５３が露出されている被覆電線５１の端末部を端子５２のバレル５５間にセットし、そしてバレル５５を加締めて閉じ、これにより芯線５３および絶縁被覆５４を端子５２に圧着固定する。
【０００５】
このような端子５２付の被覆電線５１の芯線５３間の止水を行なうのに用いられる線間止水方法では、被覆電線５１の端末部の一方から絶縁被覆５４の内側のエア（空気）を吸引する減圧工程を実行したまま、被覆電線５１の端末部の他方に対し矢印方向６０に流動性のある止水材を供給し、止水材を絶縁被覆５４の内側に浸透させるようにしている。
【０００６】
また、被覆電線の被覆に注射針を突き刺して被覆内に止水材を注入することも考えられている（例えば、特許文献２参照）。
【０００７】
ところで、上記の従来技術は、いずれも１本の被覆電線に対して処理を行なう技術であるので、複数本の被覆電線を束ねたワイヤハーネスの止水処理を行なうには、手間および時間がかかってしまう。
【０００８】
また、ワイヤハーネスを容器内に貫通させ、容器内に低粘度の止水材を注入してワイヤハーネスの線間の止水処理を行なう技術も知られている（例えば、特許文献３参照）。
【０００９】
しかし、この技術は、ワイヤハーネスを構成する複数の被覆電線を束ね、これら被覆電線間を止水する技術であり、被覆電線内の芯線間を止水することができない。
【００１０】
【特許文献１】特開２００４−３５５８５１号公報
【特許文献２】特開２０００−３５７４１５号公報
【特許文献３】特開２００２−７８１６１号公報
【発明の開示】
【発明が解決しようとする課題】
【００１１】
本発明は、上述した事情に鑑みてなされたものであり、その目的は、上記問題を解決できる線間止水方法および線間止水装置を提供することにある。
【課題を解決するための手段】
【００１２】
前述した目的を達成するために、本発明に係る線間止水方法は、下記（１）を特徴としている。
（１）  ワイヤハーネスを構成する被覆電線の芯線に止水材を浸透させる線間止水方法であって、
複数の被覆電線を並列に配列させて保持する配列ステップと、
それぞれの前記被覆電線の被覆にそれぞれ注入針を差し込む差し込みステップと、
前記注入針を介して前記芯線に止水材を注入する注入ステップと、
を含むこと。
【００１３】
上記（１）の線間止水方法によれば、一度に複数の被覆電線の芯線に止水材を浸透させて止水処理を施すことができる。これにより、複数の被覆電線から構成されたワイヤハーネスにおける止水処理を極めて容易にかつ短時間に行なうことができる。
また、端子を装着した端部に限らず、任意の箇所にて被覆電線に止水処理を施すことができる。
【００１４】
また、上述した目的を達成するために、本発明に係る線間止水装置は、下記（２）〜（４）を特徴としている。
（２）  ワイヤハーネスを構成する被覆電線の芯線に止水材を浸透させる線間止水装置であって、
互いに突き合わされることにより、並列に配列された複数の前記被覆電線を保持する一対のケースと、
前記ケースの一方に設けられ、前記ケース同士を突き合わせることにより、前記被覆電線の被覆に差し込まれる複数の注入針と、
前記注入針に連通する流路に止水材を注入する止水材注入器と、
を有すること。
（３）  上記（２）の線間止水装置であって、
前記ケースには、互いに突き合わされることにより、前記被覆電線の外周を保持するＵ字状の切欠部が形成されていること。
（４）  上記（２）または（３）の線間止水装置であって、
前記ケースには、互いに突き合わされることにより、前記被覆電線を挟持して外周をシールするクッション材が設けられていること。
【００１５】
上記（２）の線間止水装置によれば、一度に複数の被覆電線の芯線に止水材を浸透させて止水処理を施すことができる。これにより、複数の被覆電線から構成されたワイヤハーネスにおける止水処理を極めて容易にかつ短時間に行なうことができる。
また、ケースによって保持した状態にて止水材を注入することができるので、被覆電線が屈曲するなどの不具合がなく、したがって、被覆電線へ注入針を確実に差し込んで止水材を注入することができ、また、止水材の硬化後においても、被覆電線の屈曲による止水材が固化した止水部分の破損を防止することができる。
また、端子を装着した端部に限らず、任意の箇所にて被覆電線に止水処理を施すことができる。
上記（３）の線間止水装置によれば、被覆電線の外周をＵ字状の切欠部によって更に確実に位置決めして保持することができ、止水材を確実に注入することができ、更に、止水部分の破損を防止することができる。
上記（４）の線間止水装置によれば、クッション材によって被覆電線を確実に挟持して位置決めした状態に保持することができるとともに、被覆電線の周囲におけるシール性を確実に確保することができる。
【発明の効果】
【００１６】
本発明の線間止水方法によれば、一度に複数の被覆電線の芯線に止水材を浸透させて止水処理を施すことができる。これにより、複数の被覆電線から構成されたワイヤハーネスにおける止水処理を極めて容易にかつ短時間に行なうことができる。
また、端子を装着した端部に限らず、任意の箇所にて被覆電線に止水処理を施すことができる。
また、本発明の線間止水装置によれば、一度に複数の被覆電線の芯線に止水材を浸透させて止水処理を施すことができる。これにより、複数の被覆電線から構成されたワイヤハーネスにおける止水処理を極めて容易にかつ短時間に行なうことができる。
また、ケースによって保持した状態にて止水材を注入することができるので、被覆電線が屈曲するなどの不具合がなく、したがって、被覆電線へ注入針を確実に差し込んで止水材を注入することができ、また、止水材の硬化後においても、被覆電線の屈曲による止水材が固化した止水部分の破損を防止することができる。
また、端子を装着した端部に限らず、任意の箇所にて被覆電線に止水処理を施すことができる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る好適な実施形態を図面に基づいて詳細に説明する。
ここでは、複数の芯線および当該芯線の束の周囲に沿って形成された絶縁被覆を有する複数の被覆電線を束ねたワイヤハーネスを例に挙げて、その被覆電線の芯線の間に止水材を浸透させる本発明の線間止水方法および線間止水装置を説明する。
【００１９】
本発明に係る線間止水方法および線間止水装置の実施形態について図面を参照しながら説明する。
【００２０】
図１から図４は本発明の実施形態に係る線間止水装置を説明する図であって、図１は線間止水装置の斜視図、図２は線間止水装置の断面図、図３は線間止水装置の側面図、そして図４は線間止水装置の平面図である。
【００２１】
図１〜図４に示すように、線間止水装置１０は、３本の被覆電線２０に止水処理を施すもので、上下に組み合わされる下ケース１１と上ケース１２とからなる樹脂製のケース１３を備えている。
下ケース１１および上ケース１２は、一端側が連結部１４にて回動可能に連結されており、この連結部１４と反対側の他端側には、互いに係合する係合部１１ａ，１２ａが形成されている。
【００２２】
また、下ケース１１および上ケース１２には、その両側部に、間隔をあけて形成された３つのＵ字状の切欠部１１ｂ，１２ｂが形成されており、下ケース１１と上ケース１２とを突き合わせることにより、それぞれの切欠部１１ｂ，１２ｂの円弧状の底部からなる孔部が形成されるようになっている。
【００２３】
そして、この切欠部１１ｂ，１２ｂによって被覆電線２０がケース１３の両側部にて保持されて位置決めされる。
【００２４】
この被覆電線２０は、ワイヤハーネスを構成するもので、芯線２１が絶縁被覆２２で覆われている。
【００２５】
また、下ケース１１および上ケース１２には、クッション材２３，２４が設けられており、下ケース１１と上ケース１２との間の被覆電線２０がクッション材２３，２４によって挟持され、その外周がシールされる。
【００２６】
また、上ケース１２には、下ケース１１側へ向かって突出する３本の注入針２６が設けられており、これら注入針２６は、上ケース１２に形成された流路２５に接続されている。流路２５は、上ケース１２の外面にて開口する注入口２７を有しており、この注入口２７には、十字の切り込みを有する、例えば、ゴム等から形成されたシール部材２８が設けられている。
【００２７】
この上ケース１２の流路２５には、シール部材２８が設けられた注入口２７から止水材注入器３０によって止水材（液状または固体状から液状にした止水材）Ｓが注入可能とされている。止水材注入器３０は、シリンダ３１と、このシリンダ３１に摺動可能に嵌合されたピストン３２とを有し、シリンダ３１の先端に形成された吐出口３３が、注入口２７のシール部材２８に差し込み可能とされている。
【００２８】
そして、止水材注入器３０の吐出口３３を注入口２７のシール部材２８に差し込んだ状態にて、ピストン３２をシリンダ３１内に押し込むと、シリンダ３１内に充填された止水材Ｓが吐出口３３から押し出され、流路２５へ送り出される。
【００２９】
次に、ワイヤハーネスを構成する被覆電線２０に止水処理を施す場合について説明する。
【００３０】
図５（ａ），（ｂ）はワイヤハーネスの被覆電線への線間止水装置の装着の仕方を示すそれぞれ側面図である。
【００３１】
図５（ａ）に示すように、線間止水装置１０の下ケース１１と上ケース１２とを開いた状態にて、ワイヤハーネスの複数の被覆電線２０を、下ケース１１上に配置させる。
【００３２】
この状態にて、連結部１４を中心として上ケース１２を下ケース１１側（図５（ａ）中矢印イ方向）に回動させて突き合わせ、係合部１１ａ，１２ａを互い係合させる。
【００３３】
このようにすると、図５（ｂ）に示すように、下ケース１１および上ケース１２のＵ字状の切欠部１１ｂ，１２ｂの円弧状の底部によって被覆電線２０がケース１３の両側部にて保持されて位置決めされる。
【００３４】
また、このとき、上ケース１２に設けられた注入針２６が被覆電線２０に突き刺さり、更に、下ケース１１および上ケース１２のクッション材２３，２４によって被覆電線２０が挟持され、その外周が位置決めされた状態に保持されるとともにシールされる。
【００３５】
この状態にて、シリンダ３１内に低粘度の止水材Ｓを充填させた止水材注入器３０の吐出口３３を注入口２７のシール部材２８に差し込み、ピストン３２をシリンダ３１へ押し込む。
【００３６】
このようにすると、シリンダ３１内の止水材Ｓが吐出口３３から押し出され、流路２５へ送り出され、各注入針２６から被覆電線２０の芯線２１内に浸透する。そして、この芯線２１に浸透した止水材Ｓは、その後、硬化し、これにより、芯線２１間が止水材Ｓによって埋められた状態となり、確実に止水処理が施される。
【００３７】
このように、上記実施形態によれば、一度に複数の被覆電線２０の芯線２１に止水材Ｓを浸透させて止水処理を施すことができる。これにより、複数の被覆電線２０から構成されたワイヤハーネスにおける止水処理を極めて容易にかつ短時間に行なうことができる。
【００３８】
また、下ケース１１および上ケース１２からなるケース１３によって保持した状態にて止水材Ｓを注入することができるので、被覆電線２０が屈曲するなどの不具合がなく、したがって、被覆電線２０へ注入針２６を確実に差し込んで止水材Ｓを注入することができ、また、止水材Ｓの硬化後においても、被覆電線２０の屈曲による止水材Ｓが固化した止水部分の破損を防止することができる。
【００３９】
また、端子を装着した端部に限らず、任意の箇所にて被覆電線２０に止水処理を施すことができる。
【００４０】
更には、被覆電線２０の外周をＵ字状の切欠部１１ｂ，１２ｂによって更に確実に位置決めして保持することができ、止水材Ｓを確実に注入することができ、更に、止水部分の破損を防止することができる。
【００４１】
また、クッション材２３，２４によって被覆電線２０を確実に挟持して位置決めして保持することができるとともに、被覆電線２０の周囲におけるシール性を確実に確保することができる。
【００４２】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００４３】
上記実施形態では、ワイヤハーネスを構成する３本の被覆電線２０に止水処理を施す場合を例にとって説明したが、一度に止水処理する被覆電線２０の本数は３本に限定されない。
【図面の簡単な説明】
【００４４】
【図１】本発明の実施形態に係る線間止水装置の斜視図である。
【図２】本発明の実施形態に係る線間止水装置の断面図である。
【図３】本発明の実施形態に係る線間止水装置の側面図である。
【図４】本発明の実施形態に係る線間止水装置の平面図である。
【図５】ワイヤハーネスの被覆電線への線間止水装置の装着の仕方を示すそれぞれ側面図である。
【図６】従来の線間止水方法を説明するための図である。
【符号の説明】
【００４５】
１０：線間止水装置
１１：下ケース（ケース）
１１ｂ，１２ｂ：切欠部
１２：上ケース（ケース）
２０：被覆電線
２１：芯線
２３，２４：クッション材
２５：流路
２６：注入針
３０：止水材注入器
Ｓ：止水材
【図１】
2009064674.tif 000003
【図２】
2009064674.tif 000004
【図３】
2009064674.tif 000005
【図４】
2009064674.tif 000006
【図５】
2009064674.tif 000007
【図６】
2009064674.tif 000008